【手続補正書】
【提出日】平成27年11月24日(2015.11.24)
【手続補正１】
【補正対象書類名】明細書
【補正対象項目名】０１１４
【補正方法】変更
【補正の内容】
【０１１４】
【表１９】
2015500060.tif 000001
本発明の実施態様の一部を以下の項目［１］−［３１］に記載する。
［１］
吸収性材料に近接した熱可塑性不織布ウェブを備える吸収性組立中間体であって、前記熱可塑性不織布ウェブが、断続的接着座剤により相互係合されている２００〜５００ミクロンの平均直径を有する複数のコイル状フィラメントを含み、かつ前記ウェブが、３〜２０ｍｍの厚さ、０．０２〜０．１０ｇ／ｃｍ３の範囲の密度、及び２０ｋＪ／ｍ３以下の圧縮仕事量を有する、吸収性組立中間体。
［２］
前記コイル状フィラメントが一方向に連続している、項目１に記載の吸収性組立中間体。
［３］
前記断続的接着剤が溶融接着剤を含む、項目１〜２のいずれかに記載の吸収性組立中間体。
［４］
前記ウェブが、１５ｋＪ／ｍ３以下の圧縮仕事量を有する、項目１〜３のいずれかに記載の吸収性組立中間体。
［５］
前記ウェブが、１０ｋＪ／ｍ３以下の圧縮仕事量を有する、項目４に記載の吸収性組立中間体。
［６］
前記ウェブが２００ｇｓｍ〜４００ｇｓｍの範囲の坪量を有する、項目１〜５のいずれかに記載の吸収性組立中間体。
［７］
前記ウェブが３００ｇｓｍ未満の坪量を有する、項目１〜５のいずれかに記載の吸収性組立中間体。
［８］
前記ウェブが１０ｍｍ以下の厚さを有する、項目１〜７のいずれかに記載の吸収性組立中間体。
［９］
前記ウェブが０．０２〜０．０５ｇ／ｃｍ３の範囲の密度を有する、項目１〜８のいずれかに記載の吸収性組立中間体。
［１０］
前記ウェブが、２５％の伸張にて２５ニュートン未満の荷重を呈する、項目１〜９のいずれかに記載の吸収性組立中間体。
［１１］
前記不織布ウェブが、２５％の伸張にて１５ニュートン未満の荷重を呈する、項目１０に記載の吸収性組立中間体。
［１２］
前記不織布ウェブが１００ｍｍ未満のドレープ性を有する、項目１〜１１のいずれかに記載の吸収性組立中間体。
［１３］
前記不織布ウェブが５０ｍｍ未満のドレープ性を有する、項目１２に記載の吸収性組立中間体。
［１４］
前記不織布ウェブが、５、４、３、２、又は１ｍｍ以下の食塩水の垂直ウィッキングを呈する、項目１〜１３のいずれかに記載の吸収性の組立中間体。
［１５］
前記不織布ウェブが親水性繊維及び超吸収性ポリマーを含まない、項目１〜１４のいずれかに記載の吸収性組立中間体。
［１６］
前記不織布ウェブが、
重量４ｋｇで１０秒以下の流体輸送速度、
重量１２ｋｇで１５秒以下の流体輸送速度、及び
重量２４ｋｇで２０秒以下の流体輸送速度のうちのいずれか１つ又は組み合わせの流体輸送速度特性を呈する、項目１〜１５のいずれかに記載の吸収性組立中間体。
［１７］
前記不織布ウェブが延伸されたウェブである、項目１〜１６のいずれかに記載の吸収性組立中間体。
［１８］
前記不織布ウェブの１つの面が１平方センチメートル当たり少なくとも１つ、２つ、又は３つの破壊された接着剤を含む、項目１７に記載の吸収性組立中間体。
［１９］
前記延伸されたウェブが、前記平均直径より小さい直径を有するフィラメントの部分、配向されているフィラメントの部分、又はそれらの組み合わせを含む、項目１７〜１８のいずれかに記載の吸収性組立中間体。
［２０］
前記不織布ウェブが、第１の主面と、前記第１の主面に実質的に平行な反対側の第２の主面と、前記第１及び第２の主面に直交方向の厚さとを含み、前記厚さは横方向の縁を画定し、前記吸収性材料は少なくとも１つの横方向の縁と接触している、項目１〜１９のいずれかに記載の吸収性組立中間体。
［２１］
前記不織布ウェブの少なくとも２つの対向する横方向の縁が前記吸収性材料と接触している、項目２０に記載の吸収性組立中間体。
［２２］
前記不織布ウェブの前記横方向の縁の全てが前記吸収性材料と接触している、項目２０〜２１のいずれかに記載の吸収性組立中間体。
［２３］
前記不織布の２つの対向する横方向の縁が流体不透過性である、項目２０〜２１のいずれかに記載の吸収性の組み立てられた中間体。
［２４］
前記吸収性材料がセルロース繊維及び超吸収性ポリマーを含む、項目１〜２３のいずれかに記載の吸収性組立中間体。
［２５］
前記吸収性構成要素が、
重量４ｋｇで１０秒以下の流体吸い上げ速度、
重量１２ｋｇで５０秒以下の流体吸い上げ速度、及び
重量２４ｋｇで５０秒以下の流体吸い上げ速度のうちから選択される流体吸い上げ速度特性のいずれか１つ又は組み合わせを呈する、項目１〜２４のいずれかに記載の吸収性組立中間体。
［２６］
前記吸収性構成要素が、
重量４ｋｇで少なくとも１００ｍｍの長手方向の流体分配の長さ、
重量１２ｋｇで少なくとも１００ｍｍの長手方向の流体分配の長さ、及び
重量２４ｋｇで少なくとも１２５ｍｍの長手方向の流体分配の長さのうちから選択される長手方向の流体分配の長さのいずれか１つ又は組み合わせを呈する、項目１〜２５のいずれかに記載の吸収性組立中間体。
［２７］
前記吸収性構成要素が、１回又は２回の流体投入で流体吸い上げ特性及び／又は長手方向の流体分配の長さ特性を呈する、項目２５〜２６のいずれかに記載の吸収性組立中間体。
［２８］
項目１〜２７のいずれかに記載の吸収性組立中間体を備える吸収性物品であって、前記物品が個人衛生用品ではない、吸収性物品。
［２９］
前記熱可塑性不織布ウェブの第１の主面の少なくとも一部分が、トップシート又は流体獲得分配層と流体連通する、項目２８に記載の吸収性物品。
［３０］
前記熱可塑性不織布ウェブの第２の対向する主面の少なくとも一部分が、流体不透過性バックシートと接触している、項目２８又は２９のいずれかに記載の吸収性物品。
［３１］
前記不織布ウェブと、前記吸収性材料又はトップシート又は流体分配獲得層又はバックシート又はそれらの組み合わせとの間にティッシュ層が存在する、項目２８〜３０のいずれかに記載の吸収性物品。
【手続補正２】
【補正対象書類名】特許請求の範囲
【補正対象項目名】全文
【補正方法】変更
【補正の内容】
【特許請求の範囲】
【請求項１】
吸収性材料に近接した熱可塑性不織布ウェブを備える吸収性組立中間体であって、前記熱可塑性不織布ウェブが、断続的接着により相互係合されている２００〜５００ミクロンの平均直径を有する複数のコイル状フィラメントを含み、かつ前記ウェブが、少なくとも３〜２０ｍｍの厚さ、０．０２〜０．１０ｇ／ｃｍ３の範囲の密度、及び２０ｋＪ／ｍ３以下の圧縮仕事量を有する、吸収性組立中間体。
【請求項２】
前記コイル状フィラメントが一方向に連続している、請求項１に記載の吸収性組立中間体。
【請求項３】
前記断続的接着が溶融接着を含む、請求項１〜２のいずれか一項に記載の吸収性組立中間体。
【請求項４】
前記ウェブが２００ｇｓｍ〜４００ｇｓｍの範囲の坪量を有する、請求項１〜３のいずれか一項に記載の吸収性組立中間体。
【請求項５】
前記ウェブが、２５％の伸張にて２５ニュートン未満の荷重を呈する、請求項１〜４のいずれか一項に記載の吸収性組立中間体。
【請求項６】
前記不織布ウェブが、５、４、３、２、又は１ｍｍ以下の食塩水の垂直ウィッキングを呈する、請求項１〜５のいずれか一項に記載の吸収性の組立中間体。
【請求項７】
前記不織布ウェブが親水性繊維及び超吸収性ポリマーを含まない、請求項１〜６のいずれか一項に記載の吸収性組立中間体。
【請求項８】
前記不織布ウェブが、
重量４ｋｇで１０秒以下の流体輸送速度、
重量１２ｋｇで１５秒以下の流体輸送速度、及び
重量２４ｋｇで２０秒以下の流体輸送速度のうちのいずれか１つ又は組み合わせの流体輸送速度特性を呈する、請求項１〜７のいずれか一項に記載の吸収性組立中間体。
【請求項９】
前記不織布ウェブが延伸されたウェブである、請求項１〜８のいずれか一項に記載の吸収性組立中間体。
【請求項１０】
前記不織布ウェブの１つの面が１平方センチメートル当たり少なくとも１つ、２つ、又は３つの破壊された接着を含む、請求項１７に記載の吸収性組立中間体。
【請求項１１】
前記不織布ウェブが、第１の主面と、前記第１の主面に実質的に平行な反対側の第２の主面と、前記第１及び第２の主面に直交方向の厚さとを含み、前記厚さは横方向の縁を画定し、前記吸収性材料は少なくとも１つの横方向の縁と接触している、請求項１〜１０のいずれか一項に記載の吸収性組立中間体。
【請求項１２】
前記不織布ウェブの少なくとも２つの対向する横方向の縁が前記吸収性材料と接触している、請求項１１に記載の吸収性組立中間体。
【請求項１３】
前記不織布の２つの対向する横方向の縁が流体不透過性である、請求項１１又は１２に記載の吸収性の組み立てられた中間体。
【請求項１４】
前記吸収性構成要素が、
重量４ｋｇで１０秒以下の流体吸い上げ速度、
重量１２ｋｇで５０秒以下の流体吸い上げ速度、及び
重量２４ｋｇで５０秒以下の流体吸い上げ速度のうちから選択される流体吸い上げ速度特性のいずれか１つ又は組み合わせを呈する、請求項１〜１３のいずれか一項に記載の吸収性組立中間体。
【請求項１５】
請求項１〜１４のいずれか一項に記載の吸収性組立中間体を備える吸収性物品であって、前記物品が個人衛生用品ではない、吸収性物品。